【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
複数の楽曲データと、再生条件の要素および再生すべき前記複数の楽曲データの対応関係が記録された再生条件要素テーブルとを含む楽曲データ交換フォーマットファイルを記憶する記憶手段と、
要素情報を取得する要素情報取得手段と、
前記記憶手段から前記楽曲データ交換フォーマットファイルの楽曲データを読み込んで楽曲を再生する楽音再生手段と、
楽曲再生のトリガを受け、前記要素情報取得手段によって取得された現在の要素情報と前記記憶手段内の前記再生条件要素テーブルのいずれかの要素とが合致しているか否かを検査し、合致している場合に合致している要素に対応する楽曲データを前記楽音再生手段へ送信して楽曲を再生させる制御手段と、
を具備することを特徴とする携帯端末装置。
【請求項２】
前記楽曲データ交換フォーマットファイルは前記再生条件の要素のうちのどの要素を優先するかを指示する優先度情報を含み、前記制御手段は前記優先度情報の順に現在の要素情報と前記記憶手段内の前記再生条件要素テーブルの各要素とが合致しているか否かの判断を行うことを特徴とする請求項１に記載の携帯端末装置。
【請求項３】
前記再生条件要素テーブルは時間と楽曲データとの対応関係を記録した時間テーブルを含むことを特徴とする請求項１または請求項２に記載の携帯端末装置。
【請求項４】
前記再生条件要素テーブルは、日付と楽曲データとの対応関係を記録した日付テーブルを含むことを特徴とする請求項１〜請求項３のいずれかの項に記載の携帯端末装置。
【請求項５】
前記要素情報取得手段は、要素情報として現在位置情報を取得するＧＰＳ装置を有し、
前記再生条件要素テーブルは場所と楽曲データとの対応関係を記録した場所テーブルを含むことを特徴とする請求項１〜請求項４のいずれかの項に記載の携帯端末装置。
【請求項６】
基地局と無線通信回線を介して通信する通信手段を有し、前記通信手段が音声通話またはメールの着信時に前記トリガを前記制御手段へ出力することを特徴とする請求項１〜請求項５のいずれかの項に記載の携帯端末装置。
【請求項７】
前記楽曲データは、音源駆動用のシーケンスデータであり、前記楽音再生手段は前記シーケンスデータを解読して楽音信号を生成する音源であることを特徴とする請求項１〜請求項６のいずれかの項に記載の携帯端末装置。
【請求項８】
前記楽曲データは、サンプリングデータであり、前記楽音再生手段はサンプリングデータをアナログ楽音信号に変換する変換手段であることを特徴とする請求項１〜請求項６のいずれかの項に記載の携帯端末装置。
【請求項９】
前記複数の楽曲データは、歌手単位またはジャンル単位またはカテゴライズされた単位で集められたデータであることを特徴とする請求項１〜請求項８のいずれかの項に記載の携帯端末装置。
【請求項１０】
前記記憶手段内の再生条件要素テーブルをユーザの指示に従って書き換える書換手段を有することを特徴とする請求項１〜請求項９のいずれかの項に記載の携帯端末装置。
【請求項１１】
携帯端末装置のコンピュータに、
楽曲データ交換フォーマットの楽曲データを読み込む読込ステップと、
前記読込ステップによって読み込んだ前記楽曲データを再生する楽音再生ステップと
を実行させるプログラムであって、
前記読込ステップは、
複数の楽曲データと、再生条件の要素および再生すべき前記複数の楽曲データの対応関係が記録された再生条件要素テーブルとを含む楽曲データ交換フォーマットの楽曲データを読み込むことを特徴とするプログラム。
【請求項１２】
前記楽曲データ交換フォーマットは、
前記再生条件の要素のうちのどの要素を優先するかを指示する優先度情報を含むことを特徴とする請求項１１に記載のプログラム。
【請求項１３】
請求項１１または請求項１２に記載のプログラムを記録したことを特徴とする記録媒体。
【手続補正２】
【補正対象書類名】明細書
【補正対象項目名】発明の名称
【補正方法】変更
【補正の内容】
【発明の名称】携帯端末装置、プログラムおよび記録媒体
【手続補正３】
【補正対象書類名】明細書
【補正対象項目名】０００１
【補正方法】変更
【補正の内容】
【０００１】
本発明は、例えば携帯電話機の呼び出し音をＴＰＯ（時間、場所、場合等）に応じて切り換えること等を可能とする携帯端末装置、プログラムおよび記録媒体に関する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
請求項１に記載の発明は、複数の楽曲データと、再生条件の要素および再生すべき前記複数の楽曲データの対応関係が記録された再生条件要素テーブルとを含む楽曲データ交換フォーマットファイルを記憶する記憶手段と、要素情報を取得する要素情報取得手段と、前記記憶手段から前記楽曲データ交換フォーマットファイルの楽曲データを読み込んで楽曲を再生する楽音再生手段と、楽曲再生のトリガを受け、前記要素情報取得手段によって取得された現在の要素情報と前記記憶手段内の前記再生条件要素テーブルのいずれかの要素とが合致しているか否かを検査し、合致している場合に合致している要素に対応する楽曲データを前記楽音再生手段へ送信して楽曲を再生させる制御手段とを具備することを特徴とする携帯端末装置である。
【手続補正６】
【補正対象書類名】明細書
【補正対象項目名】０００７
【補正方法】変更
【補正の内容】
【０００７】
請求項２に記載の発明は、請求項１に記載の携帯端末装置において、前記楽曲データ交換フォーマットファイルは前記再生条件の要素のうちのどの要素を優先するかを指示する優先度情報を含み、前記制御手段は前記優先度情報の順に現在の要素情報と前記記憶手段内の前記再生条件要素テーブルの各要素とが合致しているか否かの判断を行うことを特徴とする。
請求項３に記載の発明は、請求項１または請求項２に記載の携帯端末装置において、前記再生条件要素テーブルは時間と楽曲データとの対応関係を記録した時間テーブルを含むことを特徴とする。
【手続補正７】
【補正対象書類名】明細書
【補正対象項目名】０００８
【補正方法】変更
【補正の内容】
【０００８】
請求項４に記載の発明は、請求項１〜請求項３のいずれかの項に記載の携帯端末装置において、前記再生条件要素テーブルは、日付と楽曲データとの対応関係を記録した日付テーブルを含むことを特徴とする。
請求項５に記載の発明は、請求項１〜請求項４のいずれかの項に記載の携帯端末装置において、前記要素情報取得手段は、要素情報として現在位置情報を取得するＧＰＳ装置を有し、前記再生条件要素テーブルは場所と楽曲データとの対応関係を記録した場所テーブルを含むことを特徴とする。
【手続補正８】
【補正対象書類名】明細書
【補正対象項目名】０００９
【補正方法】変更
【補正の内容】
【０００９】
請求項６に記載の発明は、請求項１〜請求項５のいずれかの項に記載の携帯端末装置において、基地局と無線通信回線を介して通信する通信手段を有し、前記通信手段が音声通話またはメールの着信時に前記トリガを前記制御手段へ出力することを特徴とする。
請求項７に記載の発明は、請求項１〜請求項６のいずれかの項に記載の携帯端末装置において、前記楽曲データは、音源駆動用のシーケンスデータであり、前記楽音再生手段は前記シーケンスデータを解読して楽音信号を生成する音源であることを特徴とする。
【手続補正９】
【補正対象書類名】明細書
【補正対象項目名】００１０
【補正方法】変更
【補正の内容】
【００１０】
請求項８に記載の発明は、請求項１〜請求項６のいずれかの項に記載の携帯端末装置において、前記楽曲データは、サンプリングデータであり、前記楽音再生手段はサンプリングデータをアナログ楽音信号に変換する変換手段であることを特徴とする。
請求項９に記載の発明は、請求項１〜請求項８のいずれかの項に記載の携帯端末装置において、前記複数の楽曲データは、歌手単位またはジャンル単位またはカテゴライズされた単位で集められたデータであることを特徴とする。
【手続補正１０】
【補正対象書類名】明細書
【補正対象項目名】００１１
【補正方法】変更
【補正の内容】
【００１１】
請求項１０に記載の発明は、請求項１〜請求項９のいずれかの項に記載の携帯端末装置において、前記記憶手段内の再生条件要素テーブルをユーザの指示に従って書き換える書換手段を有することを特徴とする。
請求項１１に記載の発明は、携帯端末装置のコンピュータに、楽曲データ交換フォーマットの楽曲データを読み込む読込ステップと、前記読込ステップによって読み込んだ前記楽曲データを再生する楽音再生ステップとを実行させるプログラムであって、前記読込ステップは、複数の楽曲データと、再生条件の要素および再生すべき前記複数の楽曲データの対応関係が記録された再生条件要素テーブルとを含む楽曲データ交換フォーマットの楽曲データを読み込むことを特徴とする。
請求項１２に記載の発明は、請求項１１に記載のプログラムにおいて、前記楽曲データ交換フォーマットは、前記再生条件の要素のうちのどの要素を優先するかを指示する優先度情報を含むことを特徴とする。
請求項１３に記載の発明は、記録媒体であって、請求項１１または請求項１２記載のプログラムを記録したことを特徴とする。
【手続補正１１】
【補正対象書類名】明細書
【補正対象項目名】００１２
【補正方法】変更
【補正の内容】
【００１２】
この発明によれば、携帯電話機の音声着信音やメール着信音をＴＰＯに応じて自動的に変更することが可能となり、ユーザにとって飽きがこない利点がある。また、歌手単位、ジャンル単位、カテゴリ単位などで楽曲データがパッケージとして提供される場合は、ユーザは１つのパッケージをダウンロードするだけで、複数の要素と楽曲の対応関係を携帯端末装置に設定することができ、飽きがこない変化に富んだ着信音等を設定することができる。また、請求項１０の発明によれば、ユーザが要素と楽曲の対応関係をカスタマイズすることができる効果が得られる。